【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
ユーザ装置への通信リソースの割当は複数の物理ダウンリンク制御チャネルＰＤＣＣＨで送信され、前記ＰＤＣＣＨは各ダウンリンクサブフレームの制御領域に含まれる電気通信システムにおいて、通信リソースを割り当てる方法であって、
前記ＰＤＣＣＨを、前記ＰＤＣＣＨの少なくとも１つの共通サブセットと、前記ＰＤＣＣＨの複数のグループサブセットとに分割し、あらゆるユーザ装置が前記ＰＤＣＣＨの前記共通サブセットと前記ＰＤＣＣＨのただ１つのグループサブセットとを復号可能とするステップ（３６）を含み、
ユーザ装置が復号する前記ＰＤＣＣＨのグループサブセットそれぞれは、前記ユーザ装置のＲＮＴＩ（Ｒａｄｉｏ  Ｎｅｔｗｏｒｋ  Ｔｅｍｐｏｒａｒｙ  Ｉｄｅｎｔｉｆｉｅｒ）のモジュロ演算によって決定される、方法。
【請求項２】
前記ＰＤＣＣＨの前記共通サブセットは、使用可能な最高アグリゲーションレベルのＰＤＣＣＨを含む、請求項１に記載の方法。
【請求項３】
前記ＰＤＣＣＨの前記共通サブセットは、１つのアグリゲーションレベルのあり得る全てのＰＤＣＣＨを含む、請求項１に記載の方法。
【請求項４】
前記ＰＤＣＣＨの前記共通サブセットは、最高アグリゲーションレベルのあり得る全てのＰＤＣＣＨを含む、請求項３に記載の方法。
【請求項５】
前記ＰＤＣＣＨの各グループサブセットは、制御チャネルエレメントのサブセットをカバーする１または２以上のアグリゲーションレベルのＰＤＣＣＨを含む、請求項１〜４のいずれか１項に記載の方法。
【請求項６】
前記ＰＤＣＣＨの各グループサブセットは、制御チャネルエレメントの前記サブセットをカバーする全てのアグリゲーションレベルのあり得る全てのＰＤＣＣＨを含む、請求項５に記載の方法。
【請求項７】
前記ＰＤＣＣＨの前記共通サブセットの一部を形成する少なくとも１つのＰＤＣＣＨでブロードキャストメッセージを送信するステップをさらに含む、請求項１〜６のいずれか１項に記載の方法。
【請求項８】
前記ＰＤＣＣＨの前記グループサブセットそれぞれの一部を形成する少なくとも１つのＰＤＣＣＨでユーザ装置に対するリソース割当メッセージを送信するステップ（３８）をさらに含む、請求項１〜７のいずれか１項に記載の方法。
【請求項９】
前記ＰＤＣＣＨの前記共通サブセットの一部を形成する少なくとも１つのＰＤＣＣＨでユーザ装置に対するリソース割当メッセージを送信するステップ（３８）をさらに含む、請求項１〜８のいずれか１項に記載の方法。
【請求項１０】
メッセージを、前記メッセージに必要な数よりも多くの制御チャネルエレメントを含むＰＤＣＣＨで送信するステップ（３８）をさらに含む、請求項１〜９のいずれか１項に記載の方法。
【請求項１１】
ユーザ装置への通信リソースの割当は複数の物理ダウンリンク制御チャネルＰＤＣＣＨで送信され、前記ＰＤＣＣＨは各ダウンリンクサブフレームの制御領域に含まれる電気通信システムにおいて、ユーザ装置に割り当てる通信リソースを決定するためのユーザ装置動作方法であって、
前記ＰＤＣＣＨの少なくとも１つの共通サブセットと、前記ＰＤＣＣＨの複数のグループサブセットとへの、前記ＰＤＣＣＨの分割を決定するステップと、
前記ＰＤＣＣＨの前記複数のグループサブセットから前記ＰＤＣＣＨの関連グループサブセットを決定するステップ（５６）と、
前記ＰＤＣＣＨの前記共通サブセットまたは前記ＰＤＣＣＨの各共通サブセットを形成する前記ＰＤＣＣＨを復号し、前記ＰＤＣＣＨの前記関連グループサブセットの前記ＰＤＣＣＨのみを復号するステップ（５８）と
を含み、
前記ＰＤＣＣＨの前記関連グループサブセットを決定するステップ（５６）は、前記ユーザ装置のＲＮＴＩ（Ｒａｄｉｏ  Ｎｅｔｗｏｒｋ  Ｔｅｍｐｏｒａｒｙ  Ｉｄｅｎｔｉｆｉｅｒ）のモジュロ演算を含む、方法。
【請求項１２】
前記ＰＤＣＣＨの少なくとも１つの共通サブセットと、前記ＰＤＣＣＨの複数のグループサブセットとへの、前記ＰＤＣＣＨの前記分割を決定するステップは、
各サブフレームの制御チャネルエレメントの数を決定するステップ（５０）と、
前記各サブフレームの制御チャネルエレメントの数から、前記ＰＤＣＣＨの２または３以上のグループサブセットへの分割が行われたかを決定するステップ（５２）と
を含む、請求項１１に記載の方法。
【請求項１３】
ユーザ装置への通信リソースの割当は複数の物理ダウンリンク制御チャネルＰＤＣＣＨで送信され、前記ＰＤＣＣＨは各ダウンリンクサブフレームの制御領域に含まれる電気通信システムのネットワークノード（１０）であって、
前記ＰＤＣＣＨを、前記ＰＤＣＣＨの少なくとも１つの共通サブセットと、前記ＰＤＣＣＨの複数のグループサブセットとに分割し、あらゆるユーザ装置が前記ＰＤＣＣＨの前記共通サブセットと前記ＰＤＣＣＨのただ１つのグループサブセットとを復号可能とすることによって、通信リソースを割り当て、
ユーザ装置が復号する前記ＰＤＣＣＨのグループサブセットそれぞれは、前記ユーザ装置のＲＮＴＩ（Ｒａｄｉｏ  Ｎｅｔｗｏｒｋ  Ｔｅｍｐｏｒａｒｙ  Ｉｄｅｎｔｉｆｉｅｒ）のモジュロ演算によって決定される、ネットワークノード（１０）。
【請求項１４】
前記ＰＤＣＣＨの前記共通サブセットは、使用可能な最高アグリゲーションレベルのダウンリンクＰＤＣＣＨを含む、請求項１３に記載のネットワークノード（１０）。
【請求項１５】
前記ＰＤＣＣＨの各グループサブセットは、制御チャネルエレメントのサブセットをカバーする１または２以上のアグリゲーションレベルのＰＤＣＣＨを含む、請求項１３または１４に記載のネットワークノード（１０）。
【請求項１６】
さらに、前記ＰＤＣＣＨの前記共通サブセットの一部を形成する少なくとも１つのＰＤＣＣＨでブロードキャストメッセージを送信する、請求項１３〜１５のいずれか１項に記載のネットワークノード（１０）。
【請求項１７】
さらに、前記ＰＤＣＣＨの前記共通サブセットの一部を形成する少なくとも１つのＰＤＣＣＨでユーザ装置に対するリソース割当メッセージを送信する、請求項１３〜１６のいずれか１項に記載のネットワークノード（１０）。
【請求項１８】
前記ネットワークノード（１０）は発展型無線アクセスネットワークのｅＮｏｄｅＢである、請求項１３〜１７のいずれか１項に記載のネットワークノード（１０）。
【請求項１９】
ユーザ装置（１４、１６、１８）への通信リソースの割当は複数の物理ダウンリンク制御チャネルＰＤＣＣＨで送信され、前記ＰＤＣＣＨは各ダウンリンクサブフレームの制御領域に含まれる電気通信システムにおけるユーザ装置（１４）であって、
前記ＰＤＣＣＨの少なくとも１つの共通サブセットと、前記ＰＤＣＣＨの複数のグループサブセットとへの、前記ＰＤＣＣＨの分割を決定するステップと、
前記ＰＤＣＣＨの前記複数のグループサブセットから前記ＰＤＣＣＨの関連グループサブセットを決定するステップと、
前記ＰＤＣＣＨの前記共通サブセットまたは前記ＰＤＣＣＨの各共通サブセットを形成する前記ＰＤＣＣＨを復号し、前記ＰＤＣＣＨの前記関連グループサブセットの前記ＰＤＣＣＨのみを復号するステップと
を含む方法によって、前記ユーザ装置へ割り当てられる通信リソースを決定し、
さらに、前記ユーザ装置（１４）のＲＮＴＩ（Ｒａｄｉｏ  Ｎｅｔｗｏｒｋ  Ｔｅｍｐｏｒａｒｙ  Ｉｄｅｎｔｉｆｉｅｒ）のモジュロ演算によって、前記ＰＤＣＣＨの前記関連グループサブセットを決定する、ユーザ装置。
【請求項２０】
前記ＰＤＣＣＨの少なくとも１つの共通サブセットと、前記ＰＤＣＣＨの複数のグループサブセットとへの、前記ＰＤＣＣＨの前記分割を決定するステップは、
各サブフレームの制御チャネルエレメントの数を決定するステップと、
前記各サブフレームの制御チャネルエレメントの数から、前記ＰＤＣＣＨの２または３以上のグループサブセットへの分割が行われたかを決定するステップと
を含む、請求項１９に記載のユーザ装置（１０）。